(57)【要約】      （修正有）【課題】眼の色覚差と補正法を、ＣＩＥ  Ｌ＊ａ＊ｂ＊表色法に基づき、印刷物によって、しかも機器測定なしに、より実用的、より容易確実に判定し検証するシステムを提供する。【解決手段】ＣＩＥ  Ｌ＊ａ＊ｂ＊表色法に基づき、ａ＊を横軸、ｂ＊を縦軸に配列してｃｍｙｋで印刷された色差段階の異なる多数のモザイクカラーチャート、グラデーション状に変化させた純色純色グラデーションカラーチャート及び補色グラデーションカラーチャートに対し、Ｌａｂ値は等しいが分光カーブの異なる墨版または特色１色印刷による判定基準を用いて等色させ、条件等色現象により相違してくるその等色位置を、多数者による近似標準位置、デジタルカメラ、スキャナ等のデバイス判定位置と比較しその位置の相違から色ズレの方向、程度などの色特性を判定し、補正フィルターを検出し検証する。【選択図】図１
2006333463.tif 000002
【特許請求の範囲】
【請求項１】
条件等色（メタメリズム）現象を利用して色特性を検出する方法において、  １）ＣＩＥ  Ｌ＊ａ＊ｂ＊表色法（以下＊を省略）における主要Ｌ値ごとに、ａｂ値が等しい無色（ａｂ＝００）を中央に、等色差（等ａｂ値差）でａ値を左にマイナス、右にプラス、ｂ値を上にプラス、下にマイナスするよう、そして色差がａｂ２５差から１差まで順次色差が小さくなるような色差段階の異なる多数のａｂデジタルカラーチャートの各データを変換してｃｍｙ３色またはｃｍｙｋ４色で印刷された何段階かのカラーチャートに対して、墨版１色及びチャートのどこかでＬａｂ値は一致するがカーブの異なる特色で印刷された比色マスク、段階濃度基準、特色基準等の判定基準色（以下、基準色、無彩（ｋ）色）を用いて等色するチャート位置。  ２）ＣＩＥ  Ｌａｂ色度図上でＬ値と色度差の等しい主要純色を選び、各純色を白と段階的に混色した多段階純色グラデーションチャート列の間に無彩（ｋ）色の多段階グラデーション列を明暗が交差するよう交互に挟んで配列して作成した純色グラデーションカラーチャートにおける両列の等明度位置。  ３）該無彩（ｋ）色を背景に、ＣＩＥ  Ｌａｂ色度図上でＬ値と色度差の等しい主要純色を選び、それぞれを各補色対と該無彩（ｋ）色と近似Ｌａｂ値部分が含まれるよう混色して作成した多数の補色グラデーションカラーチャート列の背景と等色する位置。  ４）該無彩（ｋ）色濃度段階と、該無彩（ｋ）色と分光カーブは異なるがＬａｂ値が近似するＣＩＥＬａｂ色度図上の多数のｃｍｙ色を隣接させ配置し作成した一覧カラーチャートにおいて等色する位置。  上記、条件等色現象により相違してくるその等色位置を、同一チャートの多数者目視判定位置（近似標準値）、デジタルカメラ、スキャナ等デバイス色判定位置、及び計器測定によるＣＩＥ標準観測者位置を比較検討することにより、眼、光源、色再現機器（デバイス）のもつ色ズレの方向と程度、色度差弁別能力等の色特性と色補正フィルター検出をＣＩＥ  Ｌａｂ色度図上にて可能にすることを特徴とした眼、光源、色再現機器の色特性検証システム。
【発明の詳細な説明】
【発明の詳細な説明】
【技術分野】
【０００１】  本発明は、眼、光、カメラ、フィルム、スキャナ等色再現機器（デバイス）の微妙な色特性を検査しその色ズレを補正するシステムに関わる。
【背景技術】
【０００２】  従来は、石原式検査表などがあったが、それらは個々の眼の大きな色特性の違いを判定することができても、色度図上でどの方向にどの程度ずれてているか、個々の眼の微妙な色覚の相違を検査できるものではなかった。  ただ、関連する同一出願者による方法としては、    １）特願２００２ー３０７６６０    ２）特願２００２ー３１３５０９    ３）特願２００２ー２７２２８５    ４）特願２００５ー１５４５６９がある。
【発明が解決しようとする課題】
【０００３】  同一出願者による従来の方法では、ＣＩＥ標準値との差を見い出すことを目標としたので、チャート部分すべてにつき、色彩計による膨大な数の色度測定が不可欠、したがって単価がきわめて高く利用者が甚だしく限定され、また機器の測定誤差は少なくなくこれが大きな問題点となった。  また、ＲＧＢチャートのため、色方向及び色差段階がＣＩＥＬ＊ａ＊ｂ＊表色法（以下＊を省略）表色法と一致せず、ａｂ色差判定が困難であった。  また、色差判定をどこまで細かく判別できるかという、色差弁別能の判定及び各色に対する色感を一覧で判定できず、因果関係と補正フィルターの選定に関しても、それが確かなものかどうかという検証法に欠けていた。  本発明では、従来の上記欠陥を改善し、発明の効果をより多くの対象者により効率良く、より安価、容易、迅速、確実に検証を可能にする方法を開発することを目的とする。
【課題を解決するための手段】
【０００４】  すなわち、本発明は、条件等色（メタメリズム）の現象を利用して色特性を検出する方法において、  １）ＣＩＥ  Ｌａｂ表色法における主要Ｌ値ごとに、ａｂ値が等しい無色（ａｂ＝００）を中央に、等色度差（等ａｂ値差）でａ値を左にマイナス、右にプラス、ｂ値を上にプラス、下にマイナスするよう、そして色差がａｂ２５差から１差まで順次色差が小さくなるような色差段階の異なる多数のａｂデジタルカラーチャートの各データを変換してｃｍｙ３色またはｃｍｙｋ４色で印刷された何段階かのカラーチャートに対して、墨版１色及びチャートのどこかでＬａｂ値は一致するがカーブの異なる特色で印刷された比色マスク、段階濃度基準、特色基準等の判定基準色（以下、基準色、無彩（ｋ）色）を用いて等色するチャート位置。
【０００５】  ２）ＣＩＥ  Ｌａｂ色度図（以下、色度図）上でＬ値と色度差の等しい主要純色を選び、各純色を白と段階的に混色した多段階純色グラデーションチャート列の間に無彩（ｋ）色の多段階グラデーション列を明暗が交差するよう交互に挟んで配列して作成した純色グラデーションカラーチャートにおける両列の等明度位置。  ３）該無彩（ｋ）色を背景に、色度図上でＬ値と色度差の等しい主要純色を選び、それぞれを各補色対と該基準色と近似Ｌａｂ値部分が含まれるよう混色して作成した多数の補色グラデーションカラーチャート列の背景と等色する位置。  ４）該無彩（ｋ）色濃度段階と、該無彩（ｋ）色と分光カーブは異なるがＬａｂ値が近似するＣＩＥＬａｂ色度図上の多数のｃｍｙ色を隣接させ配置して作成した一覧カラーチャートで等色する位置。
【０００６】  ５）上記等色検出位置を、同一チャートの多数者目視判定位置（近似標準値）、デジタルカメラ、スキャナ等デバイス色判定位置、及び計器測定によるＣＩＥ標準観測者位置デバイス色判定位置等とを照合比較することにより、眼、光源、色再現機器（デバイス）相互の色特性、色ズレの方向と程度、色度差弁別能力等の色特性と色補正フィルター検出と検証を可能にすることを特徴とした眼、光源、色再現機器の色特性検証システム。  以上の等色検出位置を、同一チャートの多数者目視判定位置（近似標準値）、デジタルカメラ、スキャナ等デバイス色判定位置、及び計器測定によるＣＩＥ標準観測者位置を比較検討することにより、眼、光源、色再現機器（デバイス）のもつ色ズレの方向と程度、色度差弁別能力等の色特性と色補正フィルター検出を色度図上にて可能にすることによって解決している。
【０００７】  （色特性の判定原理）  ここで、あらためて本発明の色特性の判定原理を述べる。    本発明の基本原理は、条件等色（メタメリズム）現象の応用による。すなわち、二色の分光分布が違っても、眼に入る三原色ＲＧＢ光の総量が等しく、ＣＩＥ  Ｌａｂ値が一致する関係にあれば、両者は等色して同色に見えるが、観察条件（見るときの光叉は眼の感じ方）が変わると色が違って見えることに基づく。  ここではＬａｂ値は一致するが分光分布が違う、１色墨（黒ｋ）インクの網点印刷部分の灰色または特色インク部分と、Ｌａｂ値の等しい３色（ｃｍｙ）または４色（ｃｍｙｋ）インク部分間で生じる条件等色位置の相違から、色特性の相違、色差弁別力等を判定する。  条件等色（メタメリズム）現象には照明条件等色と観測者条件等色とがある。色見本を持参し、色が合致する色紙を持ち帰ると色が違って見えるのは、照明光条件等色であり、同じ照明条件下で同じ二色が人によって色が違って見えるのは観測者条件等色である。
【０００８】  したがって、標準的観測者の等色する色近辺に、色度差の異なる色をＣＩＥａｂ色度図状に印刷技術で配してそのどれかと等色するようにすれば、その等色位置から他者、標準観測者、デバイスとの色感及び光源の色特性が、大きな相違は色度差の大きいチャートから、微妙な相違は色度差の小さいチャートから、色度図上で判断可能になるという、おそらく、史上初の判定原理の発見に基づく。なお、１色墨（黒ｋ）インクの網点印刷部分は、分光分布は横軸に必ずしも平行ではないが、Ｌａｂ値の等しい３色（ｃｍｙ）または４色（ｃｍｙｋ）インク網点印刷部分は起伏が生じているために、両色間で条件等色現象が生じ、本発明のように構成することにより十分に目的が達成できる。
【発明を実施するための最良の形態】
【０００９】  つまり、本発明では、従来の欠陥であった問題を、オフセット印刷、インクジェット印刷で安価に量産可能としながら、多数者の目視判定結果、及び普及しているデジタルカメラ、スキャナ取り込み判定値を近似標準値として扱うことによりいちいちの分光機器測定を省略して可能とする。つまりチャート各部を個別的に色彩計で測定しなくても、実用的に十分な検査データが得られ、機器測定による測定誤差といったトラブルも排除した。【００１０】  またモザイクカラーチャートを、ＣＩＥ  Ｌａｂ表色法の色度図に即してａｂ色差が等差になるよう製作し、色差の大きいチャートから、色差の小さいチャートまで多数のチャートをカード、バインダー、書籍等に段階的に配置し、その連続的検査によって、色差弁別能力の検査をも可能にし、検査の際の暗示防止のために、チャートは規則性を保ちながら、標準位置をランダムに配置して暗示を防止するよう配慮してある。  本発明では、上記方法とともに、更に精査できるよう、別の実施例であるグラデーションチャート、一覧チャート等により、上記方法による判定した結果をよく検証し、判定結果の因果関係、及び補正フィルターの補正効果を確認できるよう配慮される。【００１１】  また、判定基準色は、明暗差があると等色が困難となるので、例えばＬ値を１段階づつという微妙な濃度段階ステップをもたらし、さらに、特色の判定基準の併用（たとえば、図１の１ＢのＸ位置と等しい特色基準を用いて等色する位置の検出により、有彩色における色特性の相違の因果関係の検証も、主要色相について可能にすることができる。
【発明の効果】
【００１２】  本発明は上記記載のように、これまで知りたくともまったくといってよいほど知ることができず、ほとんど未知世界にあった微妙な色覚の相違、そして色再現機器の色特性がより容易、厳密に検証可能になり、したがって解明されていない人種間、民族、生活圏、地域間の色覚の違いがあきらかにでき、色覚特性が明らかになることにより、学術的にも、文化人類学、民族学、生理学、遺伝子研究等にも大きく役立てることが可能になるとともに、現実の色管理上、色合わせにおいて色が合わない原因が測定器側にあるのか、眼にあるのか、あるいは光にあるのか、そして相互の色感特性が不明であるがために生じている無数のトラブルの原因を解明し解消することにより、色管理を飛躍的に向上させるなど、未解明色問題の解明に大きく役立てることが可能になる。
【実施例】
【００１３】  図１は、本発明の基本となるａｂデジタルモザイクカラーチャートの実施例であり、１はそのモザイク状カラーチャートであり、ａｂ＝００部分を中心に、コンピューター画像処理において横軸と縦軸方向にａｂ比率を図のようにプラスマイナス方向に色変化させ、その中心から離れるほど色度差が大きくなるよう配置されている。【００１４】  この状態でａｂ＝００部分が無色となるようｃｍｙ印刷し、図２の判定基準となる灰色基準の比色マスク４を用いて、素通し部８にカラーチャート色部分を取り入れて比色等色する色部分がそれと一致すればその色特性はＣＩＥ標準観測者値に近似し、等色する位置が離れるほど、Ｃ正観測者値との色ずれが大きいことが、判明するように構成されている。ただし、この場合は多数者判定位置、デジタルカメラ、スキャナ判定位置であるが、ＣＩＥ観測者位置とはかなり近似する筈である。しかし、それらは本発明で解明されることであって、正確なことはまだ判明していない。【００１５】  なお、灰色基準マスクは墨版印刷により、多段階明度のマスクからカラーチャート色に合致するものを選択して使用できるよう考慮してあるが、図３の多段階濃度ステップにより迅速容易確実な等色を可能にしている。  また、モザイクカラーチャートの各ページには、図１の５、６に示すように白から黒に到る無彩色段階（いわゆるグレイスケール段階を、１色墨（黒ｋ）インクの網点印刷による列と、Ｌａｂ値の等しい３色（ｃｍｙ）または４色（ｃｍｙｋ）インク網点印刷段階を並列させ、両者が如何に眼により光により、またデバイスにより色の相違が生じるか判定できるようにすることにより、比色マスクや濃度段階をあてがわずに判定でき、また、図１の４のように、Ｌ１段階で明度選択ができる図３と同様の灰色基準をもたらして、デバイスによるデジタル取り込み時における濃度とコントラスト調整と同時に、そのデジタル画像をモザイクカラーチャートの等色位置を見い出す参照基準としてもたらしておくことにより等色位置の特定を容易にしている。【００１６】  同時に、モザイクカラーチャートはその色差は５０差または２５差あたりから順次半減して色差が細かくなるよう多段階の基本ａｂデジタルデータ及びモザイクカラーチャートをもたらして、色差の大きい側から等色をすすめて、判断が困難になるところまでの検査をおこなうことにより、その色度差が明確にできる程度がａｂ差でかなり広い範囲でどの程度か検査することが可能になる。【００１７】  本発明の実際のモザイクカラーチャート印刷では、ａｂ位置を意図的にずらし、またｂ値と関係のない数字と記号を与え、図２の比色マスク、図３の濃度段階ステップを用いて比色、等色したのち、そのａｂチャートの数字と記号を読み取って、これを別図にあてはめれば実際のデジタルａｂ色差が判定できるように暗示を防止することができる。【００１８】  その別図の判定用のＣＩＥ色度図では、チャートの横軸及び縦軸データをあてはめれば無色位置とのａｂ色差が判定でき、眼、光源、色再現機器の色ズレの方向と程度が判明すると同時に、ａｂ値差を補正する色補正フィルター値が併置して表示されることによって、色補正データが得られる。そこには色補正フィルターを直読可���ににすることができる。【００１９】  たとえば、ｆー６において等色したときは、それを別図にあてはめａｂ値を読み取ると、標準より左下に一段、ａｂともにマイナス１０ほど、青方向にズレているといったことが判明し、別表から、近似値を捜すと、３０Ｃ（シアンの３０）がａ＝−１２，ｂ＝−９ともっとも近いといった補正フィルターの検出を可能にすることができる。【００２０】  ここで、検査位置と補正フィルターの関係を補足説明しておくと、たとえば、３０Ｃにズレた眼はそれと同じカメラ、スキャナ機器同様、青側にズレているので、ますます青っぽくなるように思えるところがあるが、その青側から標準を見ると標準は反対に赤っぽく見えることになるので、補正フィルターは間違いなくシアンの３０なのである。また、同濃度で、Ｃフィルターだけがゼロ点に近いのは、ＣＭＹ同濃度の三色混合では無彩色にならず、印刷でも無彩色をつくるのにはＹＭより多くのＣを必要とするからも理解可能になる。【００２１】  ただ、色度図で示された位置及び数値はマトリックスとなるａｂデジタルチャートのデータであって、実際にはそれがＣＭＹＫデータに変換され印刷されて色ズレが生じる。そこで、従来は、そのゼロ点をはじめ印刷された無数の各部のすべてを実測するという大変な作業が必要であったわけである。これが普及ができない大きな障壁となっていた。【００２２】  しかし、本発明では、印刷によって安価に量産可能としながら、個別的にいちいちの色彩計による色度測定をほとんど問題なく省略可能とする方法を開発した。その方法とは、多数者の検査結果、及び普及しているデジタルカメラ位置、スキャナ取り込み判定値を近似標準値として扱うことであり，これにより、機器測定のないチャート類によって実用的にきわめて有効な色覚検査データが得られるようになった。【００２３】  すなわち、色彩測定機器はいずれもＣＩＥの標準観測者データを基準に測定されるが、本発明では多数の眼を多数の視感判定装置と考え、多数者の判定した検査データを近似標準とする考え方を採用する。こうすれば、機器の個体差や判定誤差といった機器測定の欠点なしに、むしろ機器よりも確実な実用的には機器測定より望ましい検査結果が可能になる。なぜなら、一般的にはＣＩＥ標準よりも日常の仲間やお得意の色管理関係者達と色基準を合わせることの方がより重要になるからであり、常にＣＩＥの絶対値が必要になるわけではないからである。【００２４】  また、色覚判定はプライバシーに関わり、できれば自己診断したい場合が多く生じる。本発明ではそのためには、同じ照明で比色マスクとともに同一条件をデジタルカメラで撮影する、またはすでにカメラ同様に普及したスキャナで比色マスクとともに取り込み、そのデジタル画像の比色マスクの灰色部分と合致または近似する部分を見い出して、これを近似標準としてその位置をａｂ色度図のａｂ＝００位置に判定結果の位置関係をそのまま移行させれば、ＣＩＥ標準との色ズレや先きに説明した色差弁別力がかなり正確に検査可能になる。つまり、この実用性を優先し絶対値は別に改めて求めればよいという技術思想により、従来のもっとも大きな問題点を解決してある。【００２５】  図４は第二の実施例である純色純��グラデーションカラーチャートであり、色度図上でＬ値と色度差の等しい主要純色を選び、各純色を白と段階的に混色した多段階純色グラデーションチャート列１４の間に無彩（ｋ）色の多段階グラデーション列１５を明暗が交差するよう交互に挟んで配列してあり、多段階純色グラデーションチャート列は、ａからｈまでに、たとえばａｂ色度図の右下から右回りに主要純色列が並ぶ。１３は縦軸の明度番号であり、これにより等明度位置を判定し表示する。  １４、１５両列は交互に配列してあるので、どこかで明暗感が一致する部分が生じる。その位置により、ａｂ色度図上で、どの方向にどの程度ずれるかということが判明しするので、判定が容易、迅速にできる。各主要純色に対する明暗感が判明し、これをモザイクチャートで更に精査できる。【００２６】  図５は、第三の方法としての補色グラデーションカラーチャートであり、該無彩（ｋ）色を背景に、色度図上でＬ値と色度差の等しい主要純色を選び、それぞれを各補色対と該無彩（ｋ）色と近似Ｌａｂ値部分が含まれるよう混色して作成してある。  図中１６は、該無彩（ｋ）色の背景であり、１７はその一端においた主要純色位置、１８は他端においた主要純色の色度図上での各補色位置であり、両者が背景色と近似Ｌａｂ値部分が含まれるよう混色してあるので、各列は背景色のどこかで等色することになる。しかし、その位置は眼、光、デバイスごとに相違するので、その等色位置の検出によって、色ズレの方向や程度が判明する。この補色グラデーションチャートには、ＲＧＢとＣＭＹの補色対を加えることにより、ＲＧＢ系の色ズレ判定が可能になる。【００２７】  上記の第二の方法による等明度位置及び第三の方法による等色位置を透明フィルム上にプロットした判定グラフにより、眼、光源、色再現機器の色特性の相違が一目瞭然となり、その判定結果でモザイクテストとの因果関係を検証し、またフィルター効果の検証が容易に可能になる。【００２８】  図３は、比色マスクに代えて使用する基準色多段階濃度段階ステップの実施例であり、図中９はその無彩（ｋ）色濃度段階ステップ、１０はモザイクチャートのＬ値と等しいＬ値の基準色濃度部分、図では中間明度のＬ５２を示し、左右にＬ１段階差で濃度段階が変えてある。したがって、このステップを使用すれば、明度差のための等色不能、誤判定という問題が排除でき、比色マスクよりも迅速容易、確実な等色作業ができる。【００２９】  また、第四の方法として、該無彩（ｋ）色濃度段階と、該無彩（ｋ）色と分光カーブは異なるがＬａｂ値が近似する色度図上の多数のｃｍｙ色を隣接させ配置し作成した、一覧カラーチャートを使用することにより一覧で色ずれの方向や程度が検出ができる。  このように、本発明では、必ずしも計器測色しなくても相対的色感の相違が従来より容易、確実、安価にでき、ＣＩＥ標準と照合できなくても、少なくともその眼が多数者位置と一致するかどうか、色ずれがあるとすればどの方向にどの程度の色ずれが生じるか、色差弁別力とともにそれを色度図上で検証でき、その色ずれを補正するにはどのように調整すればよいか、万全の判定が可能になる。【００３０】  例えば、判定精度については、第二から第四の方法と本図において、た���えば、Ｙ方向に感度が高い場合は、モザイクチャートでもそれ故に、Ｙ方向（ａｂ色度図で上方向）にずれているといった因果関係をあわせて検証でき、どの方向の補正フィルターが有効であるかの判定と、レンズ系にフィルターをあてがって有効かどうかの実証が可能になり、誤判定が避けられ、かなり真実に近い判定結果を得ることが可能になる。【００３１】  色補正法は、色補正フィルターを眼及びデバイスに用いて判定すできる。検査結果の位置が多数者標準位置と異なるときは、ＣＭＹ，ＲＧＢ色補正（ＣＣ）フィルターを眼にあてがって判定したときに多数者近似標準位置と一致するフィルターが多数者と色感が等しくなる補正フィルターである。本発明では、モザイク、グラデーションチャートを用いて判定するので確実性高く、因果関係の検証が可能になる。【００３２】  また、主要色相についての色ズレは、モザイクカラーチャートとＬａｂ値が一致する、ｃｍｙ混色系でない特色インク等による特色基準を使用することにより、各色についての色ズレが検査できることになり、±ａｂ００を基準とする第一の方法で得たデータとの因果関係が判明してくる。  つまり、無色（ａｂ＝００）以外の有彩色がモザイクチャート上でどの方向にずれるかを無色位置でのズレ方と検証してみることができる。おそらく同じ方向にずれているであろう。この方法を追加することにより、相当に精度の高い色覚検査と光源判定、機器の色特性判定の検証が可能になろう。【００３３】  （光源色の判定）  本発明では、上記の色管理には、標準光源として、たとえばＡＡＡ５０００ｋ色評価蛍光灯、正午前後の類似の室内自然光のような照明条件で、判定者が多数者位置者であり、別の任意の光源判定で、その判定位置が同じであれば判定光源として適していることがわかってくる。適していない場合はモザイク、純色グラデーションカラーチャート、補色グラデーション各チャートにおいても、ズレた位置で等色するので、色管理に適しているかどうか、光源の色質の判定が可能になる。また、銀塩カラーフィルム、デジタルカメラ、スキャナなど、色再現機器の色特性が同様にして、従来よりはるかに容易安価、確実な判定が可能になる。【００３４】  そして、本発明では、上記した方法において、各種光源と等色する各種の色部分を切り取り、あるいは印刷して、黒白灰色基準と併置して、両者が等色する位置から、光源の色温度が判明するような光源色検査票をもたらすことも容易に可能になる。たとえば、、図５同様に、色温度軌跡の両端、また蛍光灯用にＧ系統とＭ系統の両色を、たとえば５０００ｋ標準で等色する位置を中央におけば、標準観測者において色温度系とＧＭ系の光色判定が可能になる。【００３５】  （デバイスの色感判定）  カラーフィルムやデジタルカメラの場合は、指定光源を用い、適正露光で撮影した結果を眼、また他のデバイスと比較すればおのずから色感の相違が判明する。  たとえば、眼では図１の５、６列が近似して見えても、あるカメラでは青っぽくなり、あるフィルムでは赤っぽくなるという場合が生じる。これはデバイスの分光感度や色素の特性、画像処理法による相違であり、眼との色特性の相違とともに、色が合致しない原因が、光にあるのか、眼にあるのかとい��た問題が解決でき、視感と同様な撮影にはどのようなフィルターを用いればよいかの判断が多種カラーチャートで検証してみることが可能になる。  画像処理ソフトでは、Ｌａｂ値判定ができるので、したがって、各デバイスの色特性のＬａｂ値判定ができ、そのデバイス判定とともに、それを基準とした眼の色特性を判明することができるので、一般的にいえば、高価な分光測色機器の使用なくして、かなり精密な眼の実際的色感判定が可能になるということでもある。  （モニタ調整）  本発明では、該デジタルａｂカラーチャートをモニタ画面に呼び出すとともに、ＡＡＡ色評価用５０００ｋ蛍光灯を標準光源として照明された該モザイクカラーチャートをおき、モニタ画像が該カラーチャートとその印象を一致させることによって従来困難であった正しいモニタ調整が容易確実に可能になる。【００３６】  （モニタからの出力画像の調整）  本発明では、各明度段階ごとに、該ａｂカラーチャートをモニタ画面に呼び出して、そのまま校正刷りをおこない、ＡＡＡ色評価用５０００ｋ蛍光灯標準光源下において印刷されたチャート部分に灰色基準の比色マスクをあてがって等色させれば、Ｌａｂモードで如何にａｂ値を調整すればモニタの無色部分が無色にグレイバランスされるかの色補正値を、容易、確実に見い出すことが可能になる。
【産業上の利用可能性】
【００３７】  色彩科学技術は大きく発展し進歩を遂げ、光や色材の色特性のほとんどは解明されてきたが、眼の微妙な色特性はこれまで全くといってよいほどブラックボックスにあった。その理由は、知りたくても容易に知ることができる手段がなかったからであるが、本発明はすでにのべたようにして、これまでほとんど未解明であった個々の微妙にまた大きく異なるかもしれない色感未解明部分が、印刷による機器測定不要のカード方式により、精度高く解明でき、診断されることなく自分で自分の色感及び光、更にデジタルカメラ、スキャナ、フィルム等の色特性を容易簡単、安価にを知ることができるので、色を扱うあらゆる分野で現実に生じている色感の相違によるトラブルの解決に寄与でき、色再現はもとより、ＣＩＥ表色法の理解と普及、色彩学と色彩教育、色彩文化の向上に大きく役立てることができる。
【図面の簡単な説明】
【００３８】
【図１】ａｂデジタルモザイクカラーチャートの一実施例の説明図。
【図２】灰色基準の比色マスクの一実施例の説明図。
【図３】無彩（ｋ）色多段階濃度段階ステップの実施例。
【図４】純色グラデーションカラーチャート
【図５】補色グラデーションカラーチャート
【符号の説明】
【００３９】  １  ａｂデジタルモザイクカラーチャート  １Ｂ  特色基準と等色させる等Ｌａｂ値位置の例  ２  カラーチャートのａ軸方向の位置を示す記号  ３  カラーチャートのｂ軸方向の位置を示す番号  ４  基準色濃度段階ステップ  ５  ｃｍｙｋ４色印刷るグレイスケール段階  ６  （ｋ）墨１色印刷によるグレイスケール段階  ７  比色マスク  ８  比色窓（打ち抜き孔）  ９  無彩（ｋ）色濃度段階ステップ  １０  モザイクチャートのＬ値と等しいＬ値の無彩（ｋ）色濃度部分  １１  Ｌ値の表示  １２  多段階純色グラデーションチャート列とその記号  １３  縦軸の明度番号  １４  純色を白と段階的に混色した多段階純色グラデーションチャート列  １５  無彩（ｋ）色の多段階グラデーション列  １６  無彩（ｋ）色の背景  １７  一端においた主要純色位置  １８  他端においた主要純色の色度図上での各補色位置、
【図１】
2006333463.tif 000003
【図２】
2006333463.tif 000004
【図３】
2006333463.tif 000005
【図４】
2006333463.tif 000006
【図５】
2006333463.tif 000007